(57)【要約】【課題】  作業性の向上による工期の短縮化や建築費の低減を図り、壁面下地体と外壁部材との間に全体に亘り通気空間部を構成して強固に取り付けることを可能とする。【解決手段】  取付プレート部１０と、直交状態で立設した立壁部１１と、先端縁に一体に形成した打込み片部１３と、立壁部１１の先端縁に取付プレート部１０に対向させて折曲してなる受けプレート部１４とから構成され、外壁部材３の内面に固定されて壁面下地体２との間に通気空間部４を構成する。【選択図】図１
2011256683.tif 000002
【特許請求の範囲】
【請求項１】
壁面下地体に対して外壁部材を、所定の対向間隔を保持することにより通気空間部を構成して取り付ける外壁部材取付金具であり、
取付プレート部と、
前記取付プレート部の一方主面に直立状態に設けた立壁部と、
前記立壁部の先端縁から一体に突出形成した打込み片部と、
前記立壁部の先端縁に前記打込み片部と並んで一体に形成した矩形片部位を前記取付プレート部に対向させて折曲することにより形成した受けプレート部とから構成され、
前記外壁部材に対してその内面に前記取付プレート部を固定した状態で、前記壁面下地体に対してその外面に前記受けプレート部を突き当てるまで前記打込み片部を打ち込むことにより、前記壁面下地体に対して前記外壁部材を所定の対向間隔を保持して取り付ける外壁体取付金具。
【請求項２】
前記受けプレート部は、前記立壁部の先端縁に、前記打込み片部を挟んで両側に形成した少なくとも一対の矩形片部位を前記取付プレート部に対向させて折曲することにより形成された一対の受けプレート部からなる請求項１に記載の外壁体取付金具。
【請求項３】
一対の前記受けプレート部は、前記立壁部に対して折曲方向を逆向きにして形成される請求項２に記載の外壁体取付金具。
【請求項４】
前記受けプレート部は、前記壁面下地体の外面に設けた外断熱パネル体に突き当てられることにより、当該外断熱パネル体を前記壁面下地体に押し付けて保持する請求項１乃至請求項３のいずれか１項に記載の外壁体取付金具。
【請求項５】
平面部位に用いられる第１外壁部材取付金具とコーナ部位に用いられる第２外壁部材取付金具とからなり、壁面下地体に対して外壁部材を、所定の対向間隔を保持することにより通気空間部を構成して取り付ける外壁部材取付金具ユニットであり、
前記外壁部材の内面に固定される第１取付プレート部と、この第１取付プレート部の一方主面の略中央位置において直立状態に設けた第１立壁部と、この第１立壁部の先端縁から一体に突出形成した楔形部位からなり前記壁面下地体に打ち込まれる第１打込み片部と、前記第１立壁部の先端縁に前記第１打込み片部と並んで一体に形成した矩形片部位を前記取付プレート部に対向させて折曲してなり前記壁面下地体の外面に突き当てられる第１受けプレート部とから構成した前記第１外壁部材取付金具と、
コーナ部位を構成する第１外壁部材と第２外壁部材の内面にそれぞれ固定される直交状態に形成された第１取付片部と第２取付片部とからなる第２取付プレート部と、この第２取付プレート部の前記第１取付片部と前記第２取付片部の連設部位から対角線方向に向かって突出して設けられた第２立壁部と、この第２立壁部の先端縁に一体に形成した楔形部位からなり前記壁面下地体に打ち込まれる第２打込み片部と、前記第２立壁部の先端縁に前記第２打込み片部と並んで一体に形成した矩形片部位を前記第２取付プレート部に対向させて折曲してなり前記壁面下地体の直交する２つの外面にそれぞれ突き当てられる第１受け片部と第２受け片部とからなる第２受けプレート部とから構成した前記第２外壁部材取付金具と
からなり、
前記第１外壁部材取付金具が、前記外壁部材に対してその内面に前記第１取付プレート部を固定した状態において、前記壁面下地体に対してその外面に前記第１受けプレート部を突き当てるまで前記第１打込み片部を打ち込むことにより、前記壁面下地体に対して前記外壁部材を所定の対向間隔を保持して取り付け、
前記第２外壁部材取付金具が、直交状態に突き合わされることによりコーナ部位を構成する前記外壁部材に対してそれぞれの内面に前記第１取付片部と第２取付片部を固定した状態において、前記壁面下地体に対して直交する外面に前記第２受けプレート部の相対する前記第１受け片部と前記第２受け片部をそれぞれ突き当てるまで前記第２打込み片部を打ち込むことにより、コーナ部位において前記壁面下地体の直交する外側面に対して直交状態に突き合わされた前記外壁部材をそれぞれ所定の対向間隔を保持して取り付ける外壁部材取付金具ユニット。
【請求項６】
外壁部材の内面に固定される第３取付プレート部と、この第３取付プレート部の一方主面の略中央位置において直交状態に立設した第３立壁部と、この第３立壁部の先端縁に一体に形成した矩形片部位を前記取付プレート部に対向させて折曲することにより形成した第３受けプレート部とから構成される第３外壁部材取付金具を含み、
前記第３外壁部材取付金具が、前記第３受けプレート部を前記壁面下地体の外面に突き当てることにより前記壁面下地体に対して前記外壁部材を所定の対向間隔を保持する請求項５に記載の外壁部材取付金具ユニット。
【請求項７】
前記第１外壁部材取付金具の前記第１取付プレート部よりも幅狭であり前記外壁部材の内面に固定される第４取付プレート部と、この第４取付プレート部の側縁部に沿って前記第１立壁部と同一の高さを有して直立状態に設けた第４立壁部と、この第４立壁部の先端縁に一体に形成した楔形部位からなり前記壁面下地体に打ち込まれる第４打込み片部と、前記第４立壁部の先端縁に前記第４打込み片部と並んで一体に形成した矩形片部位を前記第４取付プレート部に対向させて折曲することにより形成した第４受けプレート部とから構成した第４外壁部材取付金具を含み、
前記第４外壁部材取付金具が、前記外壁部材の側端部に沿った内面或いは前記外壁部材の幅狭の前記壁面下地体と対向する部位の内面に前記第４取付プレート部を固定した状態において、前記壁面下地体に対してその外面に前記第４受けプレート部を突き当てるまで前記第４打込み片部を打ち込むことにより、前記壁面下地体に対して前記外壁部材を所定の対向間隔を保持して取り付ける請求項５又は請求項６に記載の外壁部材取付金具ユニット。
【発明の詳細な説明】
【発明の詳細な説明】
【技術分野】
【０００１】  本発明は、壁面下地体に対して外壁部材を所定の対向間隔を保持することにより通気空間部を構成して取り付ける外壁部材取付金具、及び所定位置に選択して用いられる複数仕様の外壁部材取付金具からなる外壁部材取付金具ユニットに関する。
【背景技術】
【０００２】  建物の外装工事としては、一般に建物躯体の外面に各種の外壁部材（サイディング）を張り付けるサイディング張り工法や、下地材の外面に金網を張ってモルタルを塗る塗り壁工法等が行われている。外装工事においては、例えば柱や筋交い等の構造材或いは内装パネル等の壁面下地体と外壁部材との間に通気層（通気空間部）を設ける通気層工法が施され、断熱材を用いた際に壁内における結露の発生を防止し或いは保温、排熱作用の向上を図る対応が図られる。【０００３】  通気層工法は、一般に壁面下地体の外面に胴縁を縦方向或いは横方向に取り付け、これら胴縁を取付部材として外壁部材を取り付ける工法である。通気層工法は、胴縁を介在させることにより、壁面下地体と外壁部材との間に通気層が構成されるようにする。通気層は、土台から軒天、小屋裏部分に連通して、壁面内において十分な通気性が確保されるようにする。したがって、通気層工法においては、かかる通気層が構成されるように胴縁の設置について配慮が必要であった。【０００４】  従来の通気層工法としては、壁面下地体に設けた胴縁に外壁部材を直接張り付けていく工法や、壁面下地体或いは胴縁に取り付けた外壁部材取付金具を介して外壁部材を取り付ける工法等がある。通気層工法においては、上述した通気層の条件を保持し、外壁部材を強固に固定するとともに外壁部材間の継ぎ目部分からの雨水の浸入を防止する等の目的として、各種の外壁部材取付金具が提供されている（例えば、特許文献１乃至特許文献４を参照）。
【先行技術文献】
【０００５】
【特許文献１】特開平１０−３７４３０号公報
【特許文献２】特許第２９４６２１１号公報
【特許文献３】特開２００３−１６１０２２号公報
【特許文献４】特開２００３−３０６９８２号公報
【発明の概要】
【発明が解決しようとする課題】
【０００６】  従来の外壁部材取付金具は、一般に現場施工で壁面下地体に取り付けられるため、他の作業との調整、都会等において隣家との間で十分な作業スペースが確保し得ない状況下での作業性の低下による工期の長期化を来す等の問題があった。また、従来の外壁部材取付金具は、構造が複雑なものが多くそれ自体が高価であるとともに、工期の長期化により建築費用を増大させてしまうといった問題があった。さらに、従来の外壁部材取付金具は、例えばコーナ部位において突き合わされる外壁部材間に隙間や浮き等の現象を生じさせてしまうといった問題もあった。【０００７】  したがって、本発明は、構造簡易で廉価であり、作業性の向上による工期の短縮化や建築費の低減を図り、壁面下地体に対して外壁部材を全体に亘って所定の通気層機能を奏する通気空間部を構成して強固に取り付けることを可能とし断熱特性に優れたいわゆるエコハウスを構成する外壁部材取付金具及び外壁部材取付金具ユニットを提供することを目的とする。
【課題を解決するための手段】
【０００８】  上述した目的を達成する本発明に係る外壁部材取付金具は、各種柱や構造壁等の壁面下地体に対してサイディング等の外壁部材を所定の対向間隔を保持して取り付けることにより壁面下地体と外壁部材との間に全域に亘って通気空間部を構成する。外壁部材取付金具は、取付プレート部と、この取付プレート部の一方主面に直立状態に設けた立壁部と、この立壁部の先端縁から一体に突出形成した打込み片部と、立壁部の先端縁に打込み片部と並んで一体に形成した矩形片部位を取付プレート部に対向させて折曲することにより形成した受けプレート部とから構成される。【０００９】  以上のように構成した外壁部材取付金具においては、外壁部材に対してその内面に、取付プレート部を固定することにより取り付けられる。外壁部材取付金具においては、壁面下地体の外側面に位置決めしながら当てがわれた外壁部材に対して打込み片部の対応部位を外面側から打ち付ける作業が行われて打込み片部が壁面下地体に打ち込まれることにより、壁面下地体と外壁部材を一体化する。外壁部材取付金具においては、打込み片部が所定位置まで打ち込まれると受けプレート部が壁面下地体の外面に突き当たり、壁面下地体に対して外壁部材を取付プレート部と受けプレート部との間隔に対応した対向間隔に保持して取り付ける。外壁部材取付金具においては、壁面下地体と外壁部材との間に通気空間部を構成する。【００１０】  本発明に係る外壁部材取付金具は、受けプレート部を、立壁部の先端縁に打込み片部を挟んで両側に形成した少なくとも一対の矩形片部位を取付プレート部に対向させて折曲してなる一対の受けプレート部により構成するようにしてもよい。また、本発明に係る外壁部材取付金具は、一対の受けプレート部を、立壁部に対して折曲方向を逆向きにして形成してもよい。さらに、本発明に係る外壁部材取付金具は、壁面下地体の外面に外断熱パネル体が設けられる場合に、受けプレート部が当該外断熱パネル体に突き当てられて壁面下地体に押し付けることにより保持する。【００１１】  上述した目的を達成する本発明に係る外壁部材取付金具ユニットは、所定箇所に選択して用いられる第１外壁部材取付金具及び第２外壁部材取付金具とからなり、壁面下地体に対して外壁部材を、所定の対向間隔を保持することにより通気空間部を構成して取り付ける。外壁部材取付金具ユニットは、第１外壁部材取付金具が平面部位において所定の間隔を以って用いられ、第２外壁部材取付金具がコーナ部位に用いられる。【００１２】  第１外壁部材取付金具は、外壁部材の内面に固定される第１取付プレート部と、この第１取付プレート部の一方主面の略中央位置において直立状態に設けられる第１立壁部と、第１打込み片部と、第１受けプレート部とから構成される。第１外壁部材取付金具は、第１打込み片部が、第１立壁部の先端縁から一体に突出形成した楔形部位からなり壁面下地体に打ち込まれる。第１外壁部材取付金具は、第１受けプレート部が、第１立壁部の先端縁に第１打込み片部と並んで一体に形成した矩形片部位を第１取付プレート部に対向させて折曲してなり壁面下地体の外面に突き当てられる。【００１３】  第２外壁部材取付金具は、第１取付片部と第２取付片部とからなる第２取付プレート部と、第２立壁部と、第２打込み片部と、第２受け片部と第２受け片部とからなる第２受けプレート部とから構成される。第２外壁部材取付金具は、第２取付プレート部が、直交状態に形成した第１取付片部と第２取付片部をコーナ部位を構成する第１外壁部材と第２外壁部材の内面にそれぞれ固定する。第２外壁部材取付金具は、第２立壁部が、第２取付プレート部の第１取付片部と第２取付片部の連設部位から対角線方向に向かって突出して設けられる。第２外壁部材取付金具は、第２打込み片部が、第２立壁部の先端縁に一体に形成した楔形部位からなり壁面下地体に打ち込まれる。第２外壁部材取付金具は、第２受けプレート部が、第２立壁部の先端縁に第２打込み片部と並んで一体に形成した矩形片部位を第２取付プレート部に対向させて折曲して第１受け片部と第２受け片部を形成し、これら第１受け片部と第２受け片部が壁面下地体の直交する２つの外面にそれぞれ突き当てられる。【００１４】  以上のように構成した外壁部材取付金具ユニットにおいては、第１外壁部材取付金具が外壁部材に対してその内面に第１取付プレート部を固定して取り付けられる。外壁部材取付金具ユニットにおいては、壁面下地体の外面に位置決めしながら当てがわれた外壁部材に対する第１打込み片部の対応部位を外側から打ち付ける作業が行われることにより、第１外壁部材取付金具の第１打込み片部が壁面下地体に打ち込まれて壁面下地体と外壁部材を一体化する。外壁部材取付金具ユニットにおいては、第１外壁部材取付金具が、壁面下地体に対してその外面に第１受けプレート部を突き当てるまで第１打込み片部の打ち込みが行われる。外壁部材取付金具ユニットにおいては、第１外壁部材取付金具が、壁面下地体に対して外壁部材を第１取付プレート部と第１打込み片部の間隔に対応した対向間隔に保持し、壁面下地体と外壁部材との間に全域に亘って通気空間部を構成する。【００１５】  外壁部材取付金具ユニットにおいては、第２外壁部材取付金具が、直交状態に突き合わされることによりコーナ部位を構成する外壁部材に対してそれぞれの内面に第１取付片部と第２取付片部を固定して取り付けられる。外壁部材取付金具ユニットにおいては、壁面下地体の直交する外面にそれぞれ位置決めしながら当てがわれた外壁部材に対する第２打込み片部の対応部位を外側から打ち付ける作業が行われることにより、第２外壁部材取付金具の第２打込み片部がそれぞれ壁面下地体に打ち込まれてコーナ部位において壁面下地体と外壁部材を一体化する。外壁部材取付金具ユニットにおいては、第２外壁部材取付金具が、壁面下地体に対してその直交する外面に第２受けプレート部の相対する第１受け片部と第２受け片部をそれぞれ突き当てるまで第２打込み片部の打ち込みが行われる。外壁部材取付金具ユニットにおいては、第２外壁部材取付金具が、コーナ部位において壁面下地体に対して外壁部材を第２取付プレート部と第２打込み片部の間隔に対応した対向間隔に保持し、壁面下地体と外壁部材との間に全域に亘って通気空間部を構成する。【００１６】  本発明に係る外壁部材取付金具ユニットは、外壁部材の内面に固定される第３取付プレート部と、この第３取付プレート部の一方主面の略中央位置において直交状態に立設した第３立壁部と、この第３立壁部の先端縁に一体に形成した矩形片部位を取付プレート部に対向させて折曲することにより形成した第３受けプレート部とから構成される第３外壁部材取付金具を用いてもよい。外壁部材取付金具ユニットは、第３外壁部材取付金具が、壁面下地体として例えば柱等の機械的剛性を有しない断熱材や柱のスパンが大きな箇所において外壁部材の内面に取り付けられる。外壁部材取付金具ユニットにおいては、第３外壁部材取付金具が、第３受けプレート部を壁面下地体の外面に突き当てることにより壁面下地体に対して外壁部材を所定の対向間隔を保持する。【００１７】  本発明に係る外壁部材取付金具ユニットは、第１外壁部材取付金具の第１取付プレート部よりも幅狭であり外壁部材の内面に固定される第４取付プレート部と、この第４取付プレート部の側縁部に沿って第１立壁部と同一の高さを有して直立状態に設けた第４立壁部と、この第４立壁部の先端縁に一体に形成した楔形部位からなり壁面下地体に打ち込まれる第４打込み片部と、第４立壁部の先端縁に第４打込み片部と並んで一体に形成した矩形片部位を第４取付プレート部に対向させて折曲することにより形成した第４受けプレート部とから構成した第４外壁部材取付金具を用いてもよい。外壁部材取付金具ユニットは、第４外壁部材取付金具が、第４取付プレート部を幅狭に形成したことにより壁面下地体として例えば幅狭の胴縁や筋交い或いは縁部位等に対応する外壁部材の内面に取り付けることが可能である。外壁部材取付金具ユニットにおいては、第４外壁部材取付金具が、第４受けプレート部を壁面下地体の外面に突き当てることにより壁面下地体に対して外壁部材を所定の対向間隔を保持する。
【発明の効果】
【００１８】  本発明に係る外壁部材取付金具によれば、取付プレート部と立壁部と打込み片部と受けプレート部とから構成される簡易な構造であって廉価に製造することが可能であり、壁面下地体の外側面に位置決めしながら当てがわれた外壁部材に対する打込み片部の対応部位を打ち込む簡易な作業により壁面下地体と外壁部材との間に通気空間部を構成して強固に取り付けることが可能である。本発明に係る外壁部材取付金具によれば、通気空間部により壁内の結露発生を防止するするとともに壁内への雨水等の浸入を防止することが可能である。また、本発明に係る外壁部材取付金具によれば、壁面下地体と外壁部材との間に全域に亘り通気性に優れた通気空間部を構成することにより、断熱特性に優れたいわゆるエコハウスを構成することを可能とする。【００１９】  本発明に係る外壁部材取付金具ユニットによれば、第１外壁部材取付金具や第２外壁部材取付金具が簡易な構造で廉価であり、壁面下地体に対して外壁部材を、第２外壁部材取付金具によりコーナ部位をまた第１外壁部材取付金具によりその他の部位を通気空間部を構成して強固に取り付けることが可能である。本発明に係る外壁部材取付金具ユニットによれば、通気空間部により壁内の結露発生を防止するするとともに壁内への雨水等の浸入を防止することが可能である。また、本発明に係る外壁部材取付金具ユニットによれば、壁面下地体と外壁部材との間に全域に亘り通気性に優れた通気空間部を構成することにより、断熱特性に優れたいわゆるエコハウスを構成することを可能とする。
【図面の簡単な説明】
【００２０】
【図１】本発明に係る外壁部材取付金具ユニットの実施の形態として示す使用状態の説明斜視図である。
【図２】同使用状態の説明断面図である。
【図３】第１外壁部材取付金具の斜視図である。
【図４】第１外壁部材取付金具を使用して壁面下地体に外壁部材を取り付けた状態を示す要部断面図であり、同図（Ａ）は横断面図、同図（Ｂ）は縦断面図である。
【図５】第２外壁部材取付金具を示し、同図（Ａ）は斜視図、同図（Ｂ）は平面図である。
【図６】第２外壁部材取付金具を使用してコーナ部位において壁面下地体に外壁部材を取り付けた状態を示す要部断面図である。
【図７】第３外壁部材取付金具の斜視図である。
【図８】第３外壁部材取付金具を使用して壁面下地体に外壁部材を取り付けた状態を示す要部断面図である。
【図９】第４外壁部材取付金具の斜視図である。
【図１０】第４外壁部材取付金具を使用してコーナ部位において壁面下地体に外壁部材を取り付けた状態を示す要部斜視図である。
【図１１】第４外壁部材取付金具を使用して壁面下地体に外壁部材を取り付けた状態を示す要部断面図である。
【発明を実施するための形態】
【００２１】  以下、本発明に係る外壁部材取付金具及び外壁部材取付金具ユニットの実施の形態について、図面を参照して詳細に説明する。実施の形態として示す外壁部材取付金具ユニット（以下、金具ユニットと略称する。）１は、壁面下地体２の外面に各種の外壁部材（サイディング）３を張り付けて外壁構造を構成する外壁工程において使用される。金具ユニット１は、詳細を後述するように壁面下地体２に対して外壁部材３を取り付けるとともに、これら壁面下地体２と外壁部材３との間に土台から軒天、小屋裏部分に連通して、壁面内において十分な通気性を確保する通気空間部４を構成する。
【００２２】  金具ユニット１は、従来の通気層工法において外壁部材３の相手側部材として壁面下地体２の外面に取り付けられる胴縁を必須の部材とするものでは無い。金具ユニット１は、外壁部材３の相手側部材として壁面下地体２が、胴縁ばかりでなく、例えば図１及び図２に示すように主柱５Ａや間柱５Ｂ等の柱体５に対応した箇所に適用される。また、金具ユニット１は、壁面下地体２として、梁等の横架材、柱体５間に組み合わされて壁面体を構成する石膏ボード６やこの石膏ボード６に組み付ける断熱ボード６Ａ、或いは断熱材を組み付けたパネル枠材等にも適用される。
【００２３】  なお、以下の説明において断熱ボード６Ａとして壁面下地体２の外面に取り付けられるいわゆる外断熱ボードを示すが、壁面下地体２の内面側に取り付けられるいわゆる内断熱ボードであってもよいことは勿論である。金具ユニット１は、例えば２×４工法建物において、外壁部材３の相手側部材が壁面材となる。本発明において、壁面下地体２とは、外壁部材３が通気空間部４を介して対向する全ての構造部材を意味するものとする。
【００２４】  金具ユニット１は、例えば外壁部材３側に予め取り付けられ、この外壁部材３を壁面下地体２に対して取り付ける。金具ユニット１は、外壁部材３を壁面下地体２に取り付ける（張り付ける）工程を施すことにより、壁面下地体２に対して外壁部材３を強固に固定する。金具ユニット１は、図２に示すように壁面下地体２と外壁部材３との間に全域に亘って通気空間部４を構成する。金具ユニット１は、外壁部材３として一般に提供されている各種材質の外壁部材、例えば木質系、金属系、樹脂系セメント系或いはセラミック系等の外壁部材に適用することが可能である。
【００２５】  金具ユニット１は、詳細を後述する第１外壁部材取付金具（以下、第１取付金具と略称する。）７と、第２外壁部材取付金具（以下、第２取付金具と略称する。）８と、第３外壁部材取付金具（以下、第３取付金具と略称する。）９の３種類の取付金具によりユニットを構成する。金具ユニット１は、これら第１取付金具７乃至第３取付金具９が後述するように外壁部材３の内面３Ａに対して、所定箇所に選択して取り付けられる。金具ユニット１は、外壁部材３を壁面下地体２に対して強固に取り付けるとともに、壁面内において全域に亘って十分な通気性を確保する通気空間部４を構成する。
【００２６】  金具ユニット１は、第１取付金具７を、例えば外壁のコーナ部位を除く他の部位に立設した柱体５に対向して外壁部材３の内面に所定の間隔を以って取り付ける。金具ユニット１は、第２取付金具８を、図１及び図２に示すように例えばコーナ部位に立設される柱体５に対向して外壁部材３の内面に取り付ける。金具ユニット１は、第３取付金具９を、例えば幅の狭い間柱５Ｂや胴縁或いは機械的強度が小さな石膏ボード６等の機械的強度が大きな柱体５による支えが無い部位、さらに柱体５間のスパンが大きく途中に支えが無い部位等に対向して外壁部材３に取り付ける。金具ユニット１は、第１取付金具７乃至第３取付金具９についてかかる使用態様に特定されないことは勿論である。
【００２７】  金具ユニット１は、第１取付金具７乃至第３取付金具９を予め所定位置に取り付けた外壁部材３を壁面下地体２に取り付ける作業が行われることにより、外壁部材３が壁面下地体２に対して強固に固定されるようにする。なお、金具ユニット１は、第１取付金具７乃至第３取付金具９の全てを壁面下地体２に取り付ける外壁部材３に使用することに限定されないことは勿論である。金具ユニット１は、例えば第３取付金具９について、柱体５間において外壁部材３を強固に固定される場合には、使用個数を減らし或いは省略することも可能である。
【００２８】  第１取付金具７は、鋼材等の金属板を素材にして形成した２部材を溶接等により一体化し、例えば黒染め等の防錆処理を施してなる。第１取付金具７は、図３に示すように矩形のプレート材からなる第１取付プレート部１０と、この第１取付プレート部１０の第１主面１０Ａに直交状態で一体化された部材により構成される第１立壁部１１とからなる。第１取付金具７には、第１取付プレート部１０に、幅方向の両側に並んで複数個の第１取付孔１２が形成されている。第１取付金具７は、第１取付プレート部１０が、第１主面１０Ａと相対する第２主面１０Ｂを外壁部材３の内面３Ａに当てがい図示しない取付釘を第１取付孔１２に打ち込むことにより、外壁部材３に取り付けられる。なお、第１取付金具７は、取付釘に限定されず、取付ネジのねじ込みにより外壁部材３に取り付けることも可能である。
【００２９】  第１取付金具７は、第１立壁部１１が、第１取付プレート部１０の第１主面１０Ａに幅方向の中央に位置して長さ方向に立設されることにより断面形状がＴ字状を呈して形成される。第１立壁部１１は、図２に示すように、下辺部を両端部位と中央部位とで異なる方向に直角に折曲して両側折曲部位１１Ａ、１１Ｂ（１１Ｂについては図１を参照。）と中央折曲部位１１Ｃを形成する。第１立壁部１１は、これらの折曲部位１１Ａ〜１１Ｃを第１取付プレート部１０の第１主面１０Ａにスポット溶接等により一体化してなる。
【００３０】  第１立壁部１１は、第１取付プレート部１０の第１主面１０Ａからの高さが壁面下地体２と外壁部材３の間に構成する通気空間部４の幅（厚み）を規定する寸法に形成される。なお、第１取付金具７は、第１取付プレート部１０に対して第１立壁部１１が、異なる方向の折曲部位１１Ａ〜１１Ｃを介して固定することにより機械的強度の向上を図って一方側への倒れ込み等の発生を防止して強固に立設されるようにする。第１取付金具７は、外壁部材３の脱落を防止し、外壁構造の全体に亘って通気空間部４が安定した状態で保持されるようにする。
【００３１】  第１取付金具７は、第１立壁部１１の先端縁に、第１打込み片部１３と、この第１打込み片部１３を挟む両側部位に位置して第１受けプレート部１４Ａ、１４Ｂ（以下、第１受けプレート部１４と総称する。）を一体に形成する。第１打込み片部１３は、図３に示すように、第１立壁部１１の先端縁から中央折曲部位１１Ｃの両端と対応部位を底辺として先端を尖らして突出形成した楔形部位（二等辺三角形部位）として構成される。第１打込み片部１３は、後述するように第１取付金具７を外壁部材３に取り付けた状態で外壁部材３を介して壁面下地体２に対して打ち込まれることにより、楔作用を奏して壁面下地体２に対して外壁部材３が固定されるようにする。
【００３２】  なお、第１取付金具７は、第１打込み片部１３について上述した楔形部位に限定されないことは勿論である。第１取付金具７は、外壁部材３を介しての打ち込み作業により壁面下地体２に打ち込まれる部位であればよく、例えば複数個の凸部を有する鋸歯状に形成してもよい。
【００３３】  第１受けプレート部１４は、第１立壁部１１の先端縁に上述した第１打込み片部１３の両側部位に残された矩形部位を第１取付プレート部１０に対向させて直角に折曲することにより形成してなる。第１受けプレート部１４は、第１打込み片部１３を挟んで、折曲方向を逆向きにして形成される。第１受けプレート部１４は、後述するように第１取付金具７を外壁部材３に取り付けた状態で外壁部材３を介して壁面下地体２に対して打ち込む際に壁面下地体２の外面２Ａに突き当たることにより、壁面下地体２と外壁部材３を所定の間隔に保持して通気空間部４が構成されるようにする。
【００３４】  第１受けプレート部１４は、上述したように第１立壁部１１の先端縁に第１打込み片部１３を挟んで両側に形成した矩形片を折曲して構成し、壁面下地体２の外面２Ａに突き当たることにより第１立壁部１１や第１打込み片部１３を補強する作用も奏する。第１受けプレート部１４は、第１打込み片部１３を挟んで折曲方向を逆向きに形成されることにより、第１立壁部１１や第１打込み片部１３の一方側への倒れ込み等の発生を防止して機械的強度の向上が図られるようにする。
【００３５】  なお、第１受けプレート部１４は、上述したように第１打込み片部１３を挟む両側に折曲方向を異にして形成したが、かかる構成に限定されないことは勿論である。第１受けプレート部１４は、例えば上述した構成に加えてさらに第１打込み片部１３の中央部においてコ字状の切欠き溝を形成し、この切欠き溝により囲まれた短冊状部位を折曲して中央部に受けプレート部を形成してもよい。
【００３６】  以上のような構成された第１取付金具７は、外壁工程を施す際に、上述したように第１取付孔１２に取付釘等を打ち込んで主柱５Ａに固定されることにより壁面下地体２に取り付けられる外壁部材３の内面３Ａに予め取り付けられる。第１取付金具７は、図１に示すように第１立壁部１１を柱体５の幅方向の中央部に位置して高さ方向に配置されるようにして外壁部材３に取り付けられる。
【００３７】  外壁工程は、壁面下地体２に対して外壁部材３を位置合わせし、外壁部材３の主柱５Ａとの対向部位を外面側から打ち付けることにより行われる。第１取付金具７は、外壁部材３を主柱５Ａに打ち付けることにより、図４に示すように第１打込み片部１３が主柱５Ａに打ち込まれる。第１取付金具７は、主柱５Ａに対して第１打込み片部１３が所定量まで打ち込まれると、第１受けプレート部１４が主柱５Ａの外面に突き当たる。第１取付金具７は、これにより主柱５Ａに対して外壁部材３を固定するとともに主柱５Ａと外壁部材３との間において通気空間部４を構成する。
【００３８】  なお、第１取付金具７は、主柱５Ａの外面に外断熱ボードである断熱熱ボード６Ａを取り付けた外壁構造にも適用される。第１取付金具７は、図４に鎖線で示すように第１打込み片部１３が当該断熱ボード６Ａを突き破って主柱５Ａに打ち込まれる。第１取付金具７は、第１受けプレート部１４が断熱ボード体６Ａを挟み込んだ状態で主柱５Ａの外面に突き当たり、主柱５Ａに対して外壁部材３を取り付ける。
【００３９】  第２取付金具８も、鋼材等の金属板を素材にして形成した２部材を溶接等により一体化し、例えば黒染め等の防錆処理を施してなる。第２取付金具８は、後述するようにコーナ部に設置した柱体５（例えば主柱５Ａ）に対してその直交する外側面５Ｌ、５Ｍに取り付ける第１外壁部材３Ｌと第２外壁部材３Ｍに跨って取り付けられる。第２取付金具８は、第１取付金具７と共同して外壁部材３の脱落を防止し、壁面下地体２と外壁部材３との間において通気空間部４が安定した状態で保持されるようにする。
【００４０】  第２取付金具８は、図５に示すように矩形のプレート材を中央部においてＬ字状に折曲することにより直交状態に形成された第１取付片部１５Ｌと第２取付片部１５Ｍとからなる第２取付プレート部１５と、この第２取付プレート部１５に一体化された第２立壁部１６とから構成される。第２取付金具８は、後述するように第２取付プレート部１５を構成する第１取付片部１５Ｌと第２取付片部１５Ｍが、コーナ部位を構成する第１外壁部材３Ｌの内面３ＬＡと第２外壁部材３Ｍの内面３ＭＡにそれぞれ固定される。
【００４１】  第２取付金具８には、第２取付プレート部１５の第１取付片部１５Ｌと第２取付片部１５Ｍに、それぞれ複数個の第２取付孔１７Ｌ、１７Ｍ（第２取付孔１７）が形成されている。第２取付金具８は、第２取付プレート部１５が、図６に示すように側縁部を直交状態に突き合わせた第１外壁部材３Ｌと第２外壁部材３Ｍに対して、第１取付片部１５Ｌと第２取付片部１５Ｍを固定する。第２取付プレート部１５は、第１取付片部１５Ｌを第１外壁部材３Ｌの内面３ＬＡに当てがって固定する。第２取付プレート部１５は、第２取付片部１５Ｍを第２外壁部材３Ｍの内面３ＭＡに当てがって固定する。
【００４２】  第２取付金具８は、第２立壁部１６が、第２取付プレート部１５の第１取付片部１５Ｌと第２取付片部１５Ｍの連設部位から対角線方向に向かって突出して設けられた部位からなる。第２立壁部１６は、図５に示すように基端部位に対してスリットにより切り分けた矩形片をそれぞれ４５°の角度で両側に折曲した折曲部位１６Ｌ、１６Ｍをそれぞれ相対する第１取付片部１５Ｌと第２取付片部１５Ｍに対してスポット溶接等により一体化してなる。
【００４３】  第２立壁部１６は、第２取付プレート部１５の第１取付片部１５Ｌと第２取付片部１５Ｍに対して壁面下地体２と外壁部材３の間に構成する通気空間部４の幅（厚み）を規定する寸法に形成される。第２取付金具８は、第２立壁部１６の先端縁に、第２打込み片部１８と、この第２打込み片部１８を挟む両側部位に位置して第２受けプレート部１９Ｌ、１９Ｍ（以下、第２受けプレート部１９と総称する。）を一体に形成する。第２打込み片部１８も、図５に示すように、第２立壁部１６の先端縁から先端を尖らして突出形成した楔形部位（二等辺三角形部位）として構成される。第２打込み片部１８は、後述するように第２取付金具８を外壁部材３Ｌ、３Ｍに取り付けた状態で、これら外壁部材３Ｌ、３Ｍを介して壁面下地体２に対して打ち込まれることにより、楔作用を奏して壁面下地体２に対して外壁部材３Ｌ、３Ｍが固定されるようにする。
【００４４】  なお、第２取付金具８も、第２打込み片部１８について上述した楔形部位に限定されないことは勿論である。第２取付金具８は、外壁部材３を介しての打ち込み作業により壁面下地体２に打ち込まれる部位であればよく、例えば複数個の凸部を有する鋸歯状に形成してもよい。
【００４５】  第２受けプレート部１９は、第２立壁部１６の先端縁に上述した第２打込み片部１８の両側部位に残された矩形部位を第２取付プレート部１５に対向させて折曲することにより形成してなる。第２受けプレート部１９は、第２打込み片部１８を挟んで、折曲方向を逆向きにしかつ４５°の折曲角度を以って形成される。第２受けプレート部１９は、図５に示すように一方の第２受けプレート部１９Ｌが第２取付プレート部１５の一方の折曲部位１６Ｌと対向して形成される。第２受けプレート部１９は、他方の第２受けプレート部１９Ｍが第２取付プレート部１５の他方の折曲部位１６Ｍと対向して形成される。
【００４６】  第２受けプレート部１９は、第２受けプレート部１９Ｌと第２取付プレート部１５の折曲部位１６Ｌの対向間隔を、図６に示すように主柱Ａ５の一方外面５Ｌと外壁部材３Ｌの間に構成する通気空間部４の幅を規定する寸法に形成する。第２受けプレート部１９は、第２受けプレート部１９Ｍと第２取付プレート部１５の折曲部位１６Ｍの対向間隔を、同図に示すように主柱Ａ５の他方外面５Ｍと外壁部材３Ｍの間に構成する通気空間部４の幅を規定する寸法に形成する。
【００４７】  第２受けプレート部１９は、第２取付金具８を外壁部材３Ｌ、３Ｍに跨って取り付けた状態で、これら外壁部材３を介してコーナ部に設置した主柱５Ａに対して打ち込まれることによりこの主柱５Ａに対してその外面５Ｌに第２受けプレート部１９Ｌが突き当たるとともに外面５Ｍに第２受けプレート部１９Ｍが突き当たる。第２受けプレート部１９は、コーナ部を構成する主柱５Ａと外壁部材３Ｌ、３Ｍとを所定の間隔に保持して通気空間部４が構成されるようにする。なお、第２受けプレート部１９は、第２立壁部１６の先端縁に第２打込み片部１８を挟んで両側に折曲形成されて主柱５Ａの外面５Ｌ、５Ｍに突き当たることにより、第２立壁部１６や第２打込み片部１８を補強する作用も奏する。
【００４８】  以上のように構成された第２取付金具８は、建物のコーナ部において直交状態で突き合わされる外壁部材３Ｌ、３Ｍに跨ってそれぞれの内面３ＬＡ、３ＭＡに取り付けられる。第２取付金具８は、上述したように第２取付プレート部１５が、第２取付孔１７に取付釘等を打ち込んで第２取付プレート部１５の第１取付片部１５Ｌを外壁部材３Ｌに固定するとともに第２取付片部１５Ｍを外壁部材３Ｍに固定する。第２取付金具８は、上述した第１取付金具７と共同して外壁部材３の脱落を防止し、壁面下地体２と外壁部材３との間において通気空間部４が安定した状態で保持されるようにする。
【００４９】  第２取付金具８も、主柱５Ａに対して位置合わせした外壁部材３Ｌ、３Ｍの外面側から打ち付ける作業が行われることにより、外壁部材３Ｌ、３Ｍを主柱５Ａに固定して建物のコーナ部位を構成する。第２取付金具８も、外壁部材３Ｌ、３Ｍをそれぞれ柱体５に打ち付けることにより、第２打込み片部１８が柱体５内に打ち込まれる。第２取付金具８は、柱体５に対して第２打込み片部１８が所定量まで打ち込まれると、主柱５Ａに対してその外面５Ｌに第２受けプレート部１９Ｌが突き当たるとともに外面５Ｍに第２受けプレート部１９Ｍが突き当たる。第２取付金具８は、これにより柱体５と外壁部材３との間において通気空間部４を構成する。
【００５０】  第２取付金具８においては、直交状態で突き合わされて建物のコーナ部の外壁を構成する外壁部材３Ｌ、３Ｍに対してその内面に跨って取り付けられる。第２取付金具８においては、これら外壁部材３Ｌ、３Ｍを高精度かつ確実に保持して主柱５Ａ（壁面下地体２）に対して固定することを可能とする。第２取付金具８においては、上述した通気空間部４を構成するとともに直交状態で突き合わされる外壁部材３Ｌ、３Ｍを強固に保持する。第２取付金具８においては、コーナ部位において突き合わされる外壁部材３Ｌ、３Ｍ間に隙間が生じることなく高精度のコーナ部を構成し、建物の仕上がり外観の向上が図られるようにする。
【００５１】  なお、第２取付金具８は、建物のコーナ部位が上述した主柱Ａ５に代えて適宜の壁面下地体２により構成する場合には、壁面下地体２に取り付ける外壁部材３Ｌ、３Ｍに固定されることは勿論である。また、第２取付金具８も、壁面下地体２の外面に外断熱ボード６Ａを取り付けた外壁構造にも適用される。第２取付金具８は、第２打込み片部１８が当該外断熱ボード６Ａを突き破って主柱５Ａに打ち込まれ、第２受けプレート部１９が外断熱ボード６Ａを挟み込んだ状態で主柱５Ａの外面５Ｌ、５Ｍに突き当たり、主柱５Ａに対して外壁部材３Ｌ、３Ｍを取り付ける。
【００５２】  第３取付金具９も、鋼材等の金属板を素材にして形成した２部材を溶接等により一体化し、例えば黒染め等の防錆処理を施してなる。第３取付金具９は、図７に示すように矩形のプレート材からなる第３取付プレート部２０と、この第３取付プレート部２０の第１主面２０Ａに直交状態で一体化された部材により構成される第３立壁部２１とからなる。第３取付金具９には、第３取付プレート部２０に、幅方向の両側に並んで複数個の第３取付孔２２が形成されている。第３取付金具９は、第３取付プレート部２０が、第１主面２０Ａと相対する第２主面２０Ｂを外壁部材３の内面３Ａに当てがい図示しない取付釘を第３取付孔２２に打ち込むことにより、外壁部材３に取り付けられる。
【００５３】  第３取付金具９は、第３立壁部２１が、第３取付プレート部２０の第１主面２０Ａに幅方向の中央に位置して長さ方向に立設されることにより断面形状がＴ字状を呈して形成される。第３立壁部２１は、図７に示すように、下辺部を両端部位と中央部位とで異なる方向に直角に折曲して両側折曲部位２１Ａ、２１Ｂ（２１Ｂについては図示せず）と中央折曲部位２１Ｃを形成する。第３立壁部２１は、これらの折曲部位２１Ａ〜２１Ｃを第３取付プレート部２０の第１主面２０Ａにスポット溶接等により一体化してなる。
【００５４】  第３立壁部２１は、第３取付プレート部２０の第１主面２０Ａからの高さが壁面下地体２と外壁部材３の間に構成する通気空間部４の幅（厚み）を規定する寸法に形成される。なお、第３取付金具９は、第３取付プレート部２０に対して第３立壁部２１が、異なる方向の折曲部位２１Ａ〜２１Ｃを介して固定することにより機械的強度の向上を図って一方側への倒れ込み等の発生を防止して強固に立設されるようにする。第３取付金具９は、外壁部材３の脱落を防止し、通気空間部４が安定した状態で保持されるようにする。
【００５５】  第３取付金具９は、第３立壁部２１の先端縁に、第３受けプレート部２３Ａ乃至２３Ｃ（以下、第３受けプレート部２３と総称する。）を一体に形成する。第３受けプレート部２３は、第３立壁部２１の先端縁に形成した高さ方向の切欠き溝により切り分けられた矩形部位を第３取付プレート部２０に対向させて直角に折曲することにより形成してなる。第３受けプレート部２３は、両側の第３受けプレート部２３Ａ、２３ｃに対して中央の第３打込み片部２３Ｂが折曲方向を逆向きにして形成される。第３受けプレート部２３は、第３取付プレート部２０に対して側方に突出する大きな長さを有して形成される。
【００５６】  第３受けプレート部２３は、後述するように第３取付金具９を外壁部材３に取り付けた状態でこの外壁部材３が上述した第１取付金具７や第２取付金具８を介して壁面下地体２に取り付けた状態で壁面下地体２の外面２Ａに突き当たり、壁面下地体２と外壁部材３を所定の開隔に保持して通気空間部４が構成されるようにする。なお、第３受けプレート部２３は、第３立壁部２１の先端縁に両側に折曲形成されて壁面下地体２の外面２Ａに突き当たることにより、第３立壁部２１の一方側への倒れ込み等の発生を防止して機械的強度の向上が図られるようにする。
【００５７】  以上のような構成された第３取付金具９は、図８に示すように第３取付孔２２に取付釘等を打ち込んで外壁部材３の内面３Ａに取り付けられる。第３取付金具９は、同図に示すように柱体５による支えが無い石膏ボード６に対向される外壁部材３の内面３Ａに取り付けられる。第３取付金具９は、上述した第１取付金具７及び第２取付金具８と共同して外壁部材３と壁面下地体２との間において通気空間部４が安定した状態で保持されるようにする。第３取付金具９は、外壁部材３を壁面下地体２に取り付けることにより、第３受けプレート部２３が石膏ボード６に突き当たる。
【００５８】  金具ユニット１においては、上述したように複数個の第１取付金具７及び第２取付金具８を外壁構造に対して選択して使用することにより、通気空間部４を構成して壁面下地体２に対して外壁部材３を強固に固定する。外壁構造においては、第１取付金具７や第２取付金具８による固定位置の間隔が大きい場合に、外壁部材３に撓みが生じることがある。第３取付金具９は、外壁部材３に対して、大きな間隔を以って取り付けた第１取付金具７や第２取付金具８間の位置において取り付けられる。
【００５９】  第３取付金具９は、壁面下地体２に対して外壁部材３を第１取付金具７や第２取付金具８により固定された状態において、大きな受け面を有する第３受けプレート部２３が壁面下地体２の外面２Ａに突き当たって外壁部材３と壁面下地体２との間において通気空間部４を構成する。第３取付金具９は、柱体５等が存在しない箇所において外壁部材３と壁面下地体２との間において通気空間部４を保持する。また、第３取付金具９は、外壁部材３の撓み発生を防止することから、外壁構造の仕上が精度を向上させる。
【００６０】  第３取付金具９も、壁面下地体２の外面に外断熱ボード体６Ｂを取り付けた外壁構造にも効果的に適用される。第３取付金具９は、図８に示すように大きな受け面を有する第３受けプレート部２３が外断熱ボード体６Ａを挟み込んだ状態で壁面下地体２の外面２Ａに突き当たる。第３取付金具９は、これにより支えのない箇所においても、外断熱ボード体６Ａを保持する。
【００６１】  なお、第３取付金具９は、上述したように壁面下地体２に対して外壁部材３を固定する機能を有しておらず、もっぱら壁面下地体２に対して外壁部材３を所定の対向間隔を保持して通気空間部４を構成する機能を奏する。第３取付金具９は、第３受けプレート部２３を壁面下地体２の外面２Ａに突き当てる構造であるが、例えば第３受けプレート部２３に小さな凹凸を一体に形成してよい。第３取付金具９は、多数個の凸部が壁面下地体２の外面２Ａに食い込むことにより突き当て状態が確実に保持される。
【００６２】  金具ユニット１は、上述したように所定の位置に選択して用いられる第１取付金具７乃至第３取付金具９の３種類の取付金具により構成する。金具ユニット１においては、第１取付金具７を選択し、この第１取付金具７を外壁部材３に対して壁面下地体２の機械的強度が大きくかつ取り付け位置に制約の無い部位に対応した箇所にしっかりと取り付ける。金具ユニット１においては、第２取付金具８を選択し、この第２取付金具８をコーナ部位を構成する外壁部材３に対してしっかりと取り付ける。金具ユニット１においては、第３取付金具９を選択し、この第３取付金具９を第１取付金具７や第２取付金具８を取り付けていない適宜の箇所において外壁部材３に対して取り付ける。
【００６３】  金具ユニット１においては、作業所において外壁部材３に対して予め第１取付金具７乃至第３取付金其９の取り付けを行って現場に搬入し、外壁部材３の張付け作業を行うことを可能とする。金具ユニット１は、壁面下地体２に対して外壁部材３を位置決めして打ち付ける作業により、壁面下地体２に外壁部材３が張り付けられるようにする。金具ユニット１は、外壁部材３に対して第１取付金具７乃至第３取付金具９を選択して取り付けることにより、例えば胴縁を不要として壁面下地体２と外壁部材３との間において全域に亘って通気空間部４を構成することを可能とする。金具ユニット１は、外壁部材３の張付け工程を短縮化して作業効率の向上を図り、廉価であることからも建設コストを大幅に低減することを可能とする。
【００６４】  金具ユニット１は、第１取付金具７及び第２取付金具８が、壁面下地体２に対して外壁部材３を固定する機能を奏するとともに、壁面下地体２と外壁部材３との間において全域に亘って通気空間部４を構成する。金具ユニット１は、第２取付金具８が、建物のコーナ部位において壁面下地体２に対して外壁部材３を浮き上がりを生じさせることなく強固に固定することを可能とする。金具ユニット１は、第３取付金具９が、第１取付金具７や第２取付金具８により壁面下地体２に対して外壁部材３の取り付けが行われない中間箇所等において外壁部材３の撓み発生を防止し通気空間部を構成する。金具ユニット１は、壁面下地体２と外壁部材３との間に全域に亘って通気空間部４を構成することにより壁内の結露発生を防止するとともに、コーナ部位等において隙間の発生を無くして壁内への雨水等の侵入を防止し、仕上がりのよい壁面を形成することを可能とする。
【００６５】  ところで、建物においては、外壁部材３に対してスペース的な制約により上述した第１取付金具７乃至第３取付金具９を選択して取り付けることが困難な部位、或いは幅寸法が小さな胴縁等との対応部位さらにはコーナ部位等がある。金具ユニット１は、図９乃至図１１に示した第４取付金具２４をかかる部位に使用してもよい。
【００６６】  第４取付金具２４も、鋼材等の金属板を素材にして形成した２部材を溶接等により一体化し、例えば黒染め等の防錆処理を施してなる。第４取付金具８は、図９に示すように矩形のプレート材からなる第４取付プレート部２５と、この第２取付プレート部２５の第１主面２５Ａに直交状態で一体化された部材により構成される第２立壁部２６とからなる。
【００６７】  第４取付金具２４は、例えば胴縁や間柱５Ｂ等の幅狭の部材に対応して使用されるために、第４取付プレート部２５が第１取付金具７の第１取付プレート部１０よりも幅狭に形成される。第４取付金具２４には、第４取付プレート部２５に、複数個の第４取付孔２７が形成されている。第４取付金具２４は、第４取付プレート部２５が、第１主面２５Ａと相対する第２主面２５Ｂを外壁部材３の内面３Ａに当てがい図示しない取付釘を第４取付孔２７に打ち込むことにより、外壁部材３に取り付けられる。
【００６８】  第４取付金具２４は、第４立壁部２６が、第４取付プレート部２５の第１主面２５Ａの側縁部に沿って直交状態で長さ方向に立設されることにより断面形状がＬ字状を呈して形成される。第４立壁部２６は、図９に示すように、下辺部を直角に折曲して折曲部位２６Ａを形成する。第４立壁部２６は、折曲部位２６Ａを第４取付プレート部２５の第１主面２５Ａにスポット溶接等により一体化してなる。
【００６９】  第４立壁部２６は、第４取付プレート部２５の第１主面２５Ａからの高さが壁面下地体２と外壁部材３の間に構成する通気空間部４の幅（厚み）を規定する寸法に形成される。第４立壁部２６は、第１取付金具７の第１立壁部１１と同一の高さ寸法に形成される。第４取付金具２４は、上述した第１取付金具７乃至第３取付金具９と共同して外壁部材３の脱落を防止し、壁面下地体２と外壁部材３との間において通気空間部４が安定した状態で保持されるようにする。
【００７０】  第４取付金具２４は、第４立壁部２６の先端縁に、第４打込み片部２８と、この第４打込み片部２８を挟む両側部位に位置して第４受けプレート部２９Ａ、２９Ｂ（以下、第４受けプレート部２９と総称する。）を一体に形成する。第４打込み片部２８も、図９に示すように、第４立壁部２６の先端縁から先端を尖らして突出形成した楔形部位（二等辺三角形部位）として構成される。第４打込み片部２８は、後述するように第４取付金具２４を外壁部材３に取り付けた状態で外壁部材３を介して壁面下地体２に対して打ち込まれることにより、楔作用を奏して壁面下地体２に対して外壁部材３が固定されるようにする。
【００７１】  なお、第４取付金具２４も、第４打込み片部２８について上述した楔形部位に限定されないことは勿論である。第４取付金具２４は、外壁部材３を介しての打ち込み作業により壁面下地体２に打ち込まれる部位であればよく、例えば複数個の凸部を有する鋸歯状に形成してもよい。
【００７２】  第４受けプレート部２９は、第２立壁部２６の先端縁に上述した第４打込み片部２８の両側部位に残された矩形部位を第４取付プレート部２５に対向させて直角に折曲することにより形成してなる。第４受けプレート部２９は、第４打込み片部２８を挟んで、折曲方向を逆向きにして形成される。第４受けプレート部２９は、後述するように第４取付金具２４を外壁部材３に取り付けた状態でこの外壁部材３を介して壁面下地体２に対して打ち込む際に壁面下地体２の外面２Ａに突き当たることにより、壁面下地体２と外壁部材３を所定の間隔に保持して通気空間部４が構成されるようにする。
【００７３】  第４受けプレート部２９は、第４立壁部２６の先端縁に第４打込み片部２８を挟んで両側に折曲形成されて壁面下地体２の外面２Ａに突き当たることにより、第４立壁部２６や第４打込み片部２８を補強する作用も奏する。第４受けプレート部２９は、第４打込み片部２８を挟んで折曲方向を逆向きに形成されることにより、第４立壁部２６や第４打込み片部２８の一方側への倒れ込み等の発生を防止して機械的強度の向上を図る。
【００７４】  なお、第４受けプレート部２９は、第４打込み片部２８を挟んで両側に折曲形成したが、かかる構成に限定されないことは勿論である。第４受けプレート部２９は、例えば上述した構成に加えてさらに第４打込み片部２８の中央部にコ字状の切欠き溝を形成し、この切欠き溝により囲まれた短冊状部位を折曲することにより中央部に受けプレート部を形成してもよい。
【００７５】  以上のように構成された第４取付金具２４は、外壁部材３の内面３Ａに対して、例えば上述した第２取付金具８に代えて、或いは加えて壁構造のコーナ部位に対応位置して取り付けられる。第４取付金具２４は、上述したように第４取付孔２７に取付釘等を打ち込むことにより外壁部材３の外側縁に沿ったの内面３Ａに取り付けられる。第２取付金具２４は、図１０及び図１１に示すように第４立壁部２６を柱体５に対向する側縁に沿って高さ方向に配置されるようにして外壁部材３に取り付けられる。第４取付金具２４は、外壁部材３を柱体５に打ち付けることにより、図１１に示すように第４打込み片部２８が柱体５に打ち込まれて外壁部材３を柱体５と一体化する。
【００７６】  第４取付金具２４も、上述した第１取付金具７と同様に、壁面下地体２に対して外壁部材３を位置合わせした後に、外壁部材３のコーナ部位に設置された柱体５との対向部位を外面側から打ち付ける作業が行われることにより、外壁部材３のコーナ部位を柱体５に固定する。第４取付金具２４も、外壁部材３を柱体５に打ち付けることにより、第４打込み片部２８が柱体５内に打ち込まれる。第４取付金具２４は、柱体５に対して第４打込み片部２８が所定量まで打ち込まれると、第４受けプレート部２９が柱体５（壁面下地体２）の外面に突き当たる。第４取付金具２４は、これにより柱体５と外壁部材３との間において通気空間部４を構成する。
【００７７】  ところで、コーナ部位の外壁構造においては、例えば図１１に示すように主柱５Ａの直交する２面に対向して第１外壁部材３Ｃ１と第２外壁部材３Ｃ２が相対する側縁部を突き合わせて張り付けが行われる。第４取付金具２４は、上述したように第４取付プレート部２５が幅狭とされるとともに第４立壁部２６が第４取付プレート部２５の側縁に沿って一体に立ち上がり形成された構造である。
【００７８】  したがって、コーナ部位の外壁構造においては、第４取付金具２４Ｃ１を第１外壁部材３Ｃ１に対して側縁部に沿って取り付けるとともに、第４取付金具２４Ｃ２を第２外壁部材３Ｃ２に対して側縁部に沿って取り付けることが可能である。コーナ部位の外壁構造においては、第１外壁部材３Ｃ１と第２外壁部材３Ｃ２が、第４取付金具２４Ｃ１、２４Ｃ２を介して相対する側縁部を突き合わせるとともに、柱体５を囲んで通気空間部４を構成する。
【００７９】  なお、本発明は、上述した実施の形態として示した金具ユニット１に限定されず、特許請求の範囲に記載した各構成についてその技術範囲を逸脱しない範囲で適宜変更、展開されることは勿論である。
【符号の説明】
【００８０】  １  外壁部材取付金具ユニット（金具ユニット）、２  壁面下地体、３  外壁部材、４  通気空間部、５  柱、６  ボード体、７  第１外壁部材取付金具（第１取付金具）、８  第２外壁部材取付金具（第２取付金具）、９  第３外壁部材取付金具（第３取付金具）、１０  第１取付プレート部、１１  第１立壁部、１２  第１取付孔、１３  第１打込み片部、１４  第１受けプレート部、１５  第２取付プレート部、１６  第２立壁部、１７  第２取付孔、１８  第２打込み片部、１９  第２受けプレート部、２０  第３取付プレート部、２１  第３立壁部、２２  第３取付孔、２３  第３受けプレート部、２４  第４取付金具、２５  第４取付プレート部、２６  第２立壁部、２７  第４取付孔、２８  第４打込み片部、２９  第４受けプレート部
【図１】
2011256683.tif 000003
【図２】
2011256683.tif 000004
【図３】
2011256683.tif 000005
【図４】
2011256683.tif 000006
【図５】
2011256683.tif 000007
【図６】
2011256683.tif 000008
【図７】
2011256683.tif 000009
【図８】
2011256683.tif 000010
【図９】
2011256683.tif 000011
【図１０】
2011256683.tif 000012
【図１１】
2011256683.tif 000013